(57)【要約】【課題】異なる機器間で映像データをコピーする場合の利便性を高める。【解決手段】映像データと前記映像データの記録フォーマット固有の固有再生制御情報とを含む映像情報を入力する通信部と、映像データの記録フォーマットを判別する記録フォーマット判別部と、判別した記録フォーマットに基づいて固有再生制御情報を読み出し、読み出した固有再生制御情報を記録フォーマットに依存しない汎用フォーマットに変換した共通再生制御情報を生成する共通再生制御情報処理部と、映像情報と共通再生制御情報とを記録媒体に記録するディスク管理部とを備えたメディア記録再生装置。【選択図】図２
2010244592.tif 000002
【特許請求の範囲】
【請求項１】
映像データと前記映像データの記録フォーマット固有の固有再生制御情報とを含む映像情報を入力する映像情報入力手段と、
前記映像データの記録フォーマットを判別する記録フォーマット判別手段と、
判別した前記記録フォーマットに基づいて前記固有再生制御情報を読み出し、読み出した前記固有再生制御情報を前記記録フォーマットに依存しない汎用フォーマットに変換した共通再生制御情報を生成する再生制御情報生成手段と、
前記映像情報と前記共通再生制御情報とを記録媒体に記録する記録手段と、
を備えたことを特徴とする映像記録装置。
【請求項２】
請求項１に記載の映像記録装置であって、
前記記録手段は、前記固有再生制御情報に静止画像を参照する情報が含まれている場合、前記映像データから前記静止画像を生成して前記記録媒体に記録するとともに、前記共通再生制御情報に前記生成した静止画像を参照する情報を記録することを特徴とする映像記録装置。
【請求項３】
請求項１または２に記載の映像記録装置であって、
前記共通再生制御情報は、所定のページ記述言語で記録することを特徴とする映像記録装置。
【請求項４】
映像データと前記映像データの記録フォーマット固有の固有再生制御情報とを含む映像情報と、前記記録フォーマットに依存しない汎用フォーマットに変換された共通再生制御情報手段とが記録された記録媒体から前記共通再生制御情報を読み出す読出手段と、
読み出された前記共通再生制御情報に従って、前記映像データの再生処理を行なう再生処理手段と、を備えたことを特徴とする映像再生装置。
【請求項５】
請求項４に記載の映像再生装置であって、
前記共通再生制御情報には、前記映像データを分割して得られる単位映像の再生順を示す情報が１または複数個含まれ、
前記再生順を示す情報の選択を受け付けるための画像を生成する制御手段をさらに備えることを特徴とする映像再生装置。
【発明の詳細な説明】
【技術分野】
【０００１】
本発明は、映像記録装置および映像再生装置に関する。
【背景技術】
【０００２】
特許文献１に記載されているように、バックアップやダビングのために異なる機器間で映像データをコピーすることが広く行なわれている。現在、映像データの記録フォーマットは多岐に渡り、記録メディア等に応じて種々の方式が用いられている。例えば、小型のビデオカメラでは、ＤＶＤビデオカメラ、ＳＤビデオカメラ、ＤＶビデオカメラ、ＢＤビデオカメラ等のそれぞれ異なる方式の機器が商品化されている。
【０００３】
また、同じ記録メディアであっても、異なる規格の記録フォーマットが用いられることも多い。例えば、記録メディアとしてＤＶＤを用いる機器であっても、機器によってＤＶＤ−ＲＯＭフォーマット、ＤＶＤ−ＶＲフォーマット等が用いられている。
【先行技術文献】
【特許文献】
【０００４】
【特許文献１】特開２００２−３３４５６１号公報
【発明の概要】
【発明が解決しようとする課題】
【０００５】
一般に、映像データには、映像データを再生するための記録フォーマット固有の再生制御情報が付随している。このため、映像データのコピーを行なう場合には、映像データに加えて再生制御情報も合わせてコピーする必要がある。
【０００６】
しかしながら、異なる機器間で映像データをコピーする場合、記録フォーマットが異なっていると、映像データと再生制御情報とをそのままコピーしただけではコピー先で再生することができない。
【０００７】
このため、規格の異なる機器間でコピーを行なう場合には、映像データと再生制御情報全体をコピー先の記録フォーマットに変換した上でコピーを行なわなければならず、手間と時間がかかってしまうことになる。特に、記録フォーマットは記録メディアに依存することが多いため、異なる記録メディア間でコピーを行なう場合にこの問題は顕著である。また、このとき、コピー先には記録フォーマット変換後の映像データが記録されるため、元の記録フォーマットのデータはバックアップされないことになってしまう。さらに記録フォーマットの規格毎に再生制御情報が異なるため、コピー後の映像データの再生の際の操作感も異なってしまうという問題がある。そこで、本発明は、異なる機器間で映像データをコピーする場合の利便性を高めることを目的とする。
【課題を解決するための手段】
【０００８】
上記課題を解決するため、本発明の第１の態様である映像記録装置は、映像データと前記映像データの記録フォーマット固有の固有再生制御情報とを含む映像情報を入力する映像情報入力手段と、前記映像データの記録フォーマットを判別する記録フォーマット判別手段と、判別した前記記録フォーマットに基づいて前記固有再生制御情報を読み出し、読み出した前記固有再生制御情報を前記記録フォーマットに依存しない汎用フォーマットに変換した共通再生制御情報を生成する再生制御情報生成手段と、前記映像情報と前記共通再生制御情報とを記録媒体に記録する記録手段とを備える。
【０００９】
ここで、前記記録手段は、前記固有再生制御情報に静止画像を参照する情報が含まれている場合、前記映像データから前記静止画像を生成して前記記録媒体に記録するとともに、前記共通再生制御情報に前記生成した静止画像を参照する情報を記録することができる。
【００１０】
また、前記共通再生制御情報は、所定のページ記述言語で記録することができる。
【００１１】
上記課題を解決するため、本発明の第２の態様である映像再生装置は、映像データと前記映像データの記録フォーマット固有の固有再生制御情報とを含む映像情報と、前記記録フォーマットに依存しない汎用フォーマットに変換された共通再生制御情報手段とが記録された記録媒体から前記共通再生制御情報を読み出す読出手段と、読み出された前記共通再生制御情報に従って、前記映像データの再生処理を行なう再生処理手段と、を備える。
【００１２】
ここで、前記共通再生制御情報には、前記映像データを分割して得られる単位映像の再生順を示す情報が１または複数個含まれ、前記再生順を示す情報の選択を受け付けるための画像を生成する制御手段をさらに備えることができる。
【発明の効果】
【００１３】
本発明によれば、異なる機器間で映像データをコピーする場合の利便性が高まる。
【図面の簡単な説明】
【００１４】
【図１】本実施形態に係る映像記録再生システムの構成を模式的に示す図である。
【図２】メディア記録再生装置およびデジタルビデオカメラの機能構成を示すブロック図である。
【図３】メディア記録再生装置がデジタルビデオカメラに装填されたＤＶＤディスクに記録された映像情報を、ＨＤＤにコピーする処理について説明するフローチャートである。
【図４】ＤＶＤ−ＶＲ規格に基づくＤＶＤディスクのディレクトリ／ファイル構造を示す図である。
【図５】共通再生制御情報処理部が行なう共通再生制御情報付加処理について説明するフローチャートである。
【図６】共通再生制御情報処理部の解析結果概要の一例を示す図である。
【図７】生成された共通再生制御情報の一例を示す図である。
【図８】映像情報のコピー処理が終了した状態におけるＨＤＤのディレクトリ／ファイル構造を示す図である。
【図９】メディア記録再生装置における、ＨＤＤに格納された映像情報の再生について説明するフローチャートである。
【発明を実施するための形態】
【００１５】
本発明の実施の形態について図面を参照して詳細に説明する。図１は、本実施形態に係る映像記録再生システムの構成を模式的に示す図である。本図に示すように、映像記録再生システム１は、ディスプレイ装置６０に接続されたメディア記録再生装置１０と、デジタルビデオカメラ２０とを備えて構成される。メディア記録再生装置１０とデジタルビデオカメラ２０とは、所定の通信規格、例えば、ＵＳＢで通信を行なうことができる。この場合、ＵＳＢケーブル４０を介して両者を接続することで、映像データ、制御用データ等の伝送が可能となる。なお、映像データには、音声情報、その他の情報も含まれるものとする。
【００１６】
デジタルビデオカメラ２０は、可搬型あるいは固定式の記録メディアを備えており、記録メディアに対応した所定の記録フォーマットで映像データを記録する。映像データには、映像データを再生するために必要な情報が記録された再生制御情報（ナビゲーション情報）が付随しており、以下では、これらをまとめて映像情報と称する。本実施形態では、例えば、記録メディアはＤＶＤであり、記録フォーマットはＤＶＤ−ＶＲであるとする。もちろん、これは一例であり、ＤＶＤ、ＤＶＤ−ＶＲに限定されるものではない。
【００１７】
メディア記録再生装置１０は、可搬型あるいは固定式の記録メディアを備えており、記録メディアに映像情報を記録するとともに、記録した映像情報を再生することができる。本実施形態では、メディア記録再生装置１０の記録メディアは、例えば、ハードディスクとするが、これに限定されるものではなく、メモリであったりＢＤ等であってもよい。また、メディア記録再生装置１０は、デジタルビデオカメラ２０に備えられたＤＶＤに記録されている映像情報をコピーやムーブする機能を備えている。なお、以下の説明では、コピーで説明する。この際に、ＤＶＤに記録されている映像情報をそのままコピーした後、映像情報に含まれている映像データを、記録フォーマットに依存されず汎用的に再生するための再生制御情報である後述の共通再生制御情報を付加する。
【００１８】
図２は、ＵＳＢケーブル４０を介して接続されたメディア記録再生装置１０およびデジタルビデオカメラ２０の機能構成を示すブロック図である。本図に示すようにメディア記録再生装置１０は、通信部１１０、制御部１２０、操作受付部１３０、ディスク管理部１４０、ＨＤＤ１４５、再生処理部１５０、画像処理部１６０、画像出力部１７０、記録フォーマット判別部１８０、共通再生制御情報処理部１９０を備えている。なお、ＤＶＤ、ＳＤカード等の可搬型の記録メディアのドライブ機能を備えるようにしてもよい。
【００１９】
通信部１１０は、ＵＳＢケーブル４０を介して、デジタルビデオカメラ２０と通信を行ない、制御用データを送信したり、映像情報を受信したりする。制御部１２０は、メディア記録再生装置１０における各種処理を統括的に制御する機能部であり、例えば、ユーザに情報を提示して操作を受け付けるための各種メニュー画面やプレイリスト表示画面等の作成処理を行なう。
【００２０】
操作受付部１３０は、メディア記録再生装置１０に設けられた操作ボタン等を介してユーザからの操作を受け付ける。操作受付部１３０がユーザから受け付ける操作は、例えば、接続されたデジタルビデオカメラ２０からの映像データのコピー指示、ＨＤＤ１４５に格納された映像データやプレイリストの再生指示、メニュー選択操作等である。
【００２１】
ディスク管理部１４０は、ＨＤＤ１４５に対するデータの読み書きを制御する。再生処理部１５０は、ＨＤＤ１４５に記録された映像データの再生処理を行なう。具体的には、映像データに付帯する再生制御情報を参照して、映像データのデコード、シーク等の処理を行なう。画像処理部１６０は、映像データから得られた画像に基づいて、所定の解像度の静止画像を生成する処理を行なう。
【００２２】
画像出力部１７０は、ディスプレイ装置６０と接続され、再生処理部１５０により再生される映像や、制御部１２０により生成されるメニュー画面、プレイリスト表示画面等をディスプレイ装置６０に出力するための処理を行なう。
【００２３】
記録フォーマット判別部１８０は、デジタルビデオカメラ２０からコピーする映像情報の記録フォーマットを判別する処理を行なう。映像情報の記録フォーマットは、例えば、映像情報が格納されているディレクトリ構造を調べたり、所定のファイルの有無、名称、内容等を調べることで判別することができる。記録フォーマット判別部１８０にはあらかじめ複数のフォーマット、例えば、ＤＶＤ−ＶＲ規格、ＢＤ−ＲＥ規格、ＳＤ−ＶＩＤＥＯ規格、ＡＶＣＨＤ規格等に関する情報を登録しておき、複数の記録フォーマットに対応できるようにしておく。これらの記録フォーマットは、いずれもＭＰＥＧ−２、ＭＰＥＧ−４／ＡＶＣ等の所定の方式で圧縮された映像データを扱うことができる。
【００２４】
共通再生制御情報処理部１９０は、映像情報に含まれる記録フォーマット固有の固有再生制御情報に基づいて、汎用フォーマットの共通再生制御情報を生成する。ここで、共通再生制御情報は、記録フォーマット毎に異なる固有再生制御情報を、記録フォーマットに依存しないよう例えばＸＭＬフォーマット等の汎用フォーマットに変換した再生制御情報である。汎用フォーマットの共通再生制御情報を用いて映像データの再生を行なうことで、映像データの記録フォーマットにかかわらず、共通の圧縮方式を用いた映像データを汎用的に再生できるようになる。このため、共通再生制御情報処理部１９０は、記録フォーマット判別部１８０が判別可能な記録フォーマットそれぞれの固有再生制御情報の内容を解釈できるようにしておく。共通再生制御情報を生成する処理の詳細については後述する。また、共通再生制御情報処理部１９０は、共通再生制御情報を生成する際に、再生制御情報にサムネイル等の代表画像情報が含まれている場合には、代表画像を共通再生制御情報に関連付ける処理を行なうようにしてもよい。
【００２５】
図２に示すように、デジタルビデオカメラ２０は、撮影部２１０、記録再生部２２０、通信部２３０を備え、内部に装填されたＤＶＤディスク３０に映像情報を記録する。本実施形態ではＤＶＤ−ＶＲ規格で映像情報を記録するものとする。
【００２６】
撮影部２１０は、レンズ、撮像素子等の撮影機構を備え、光学情報を電子情報化した映像データを出力する。記録再生部２２０は、撮影部２１０から入力した映像データをＤＶＤ−ＶＲの記録フォーマットにしたがって、ＤＶＤディスク３０に記録する処理を行なう。通信部２３０は、ＵＳＢケーブル４０を介して、メディア記録再生装置１０と通信を行ない、ＤＶＤディスク３０に記録された映像情報を送信したり、制御用データを受信したりする。
【００２７】
次に、メディア記録再生装置１０が、デジタルビデオカメラ２０に装填されたＤＶＤディスク３０に記録された映像情報を、ＨＤＤ１４５にコピーする処理について図３のフローチャートを参照して説明する。一般に、映像情報は、映像データと、映像データを再生する際の制御情報が記録された記録フォーマット固有の固有再生制御情報とを含んでいる。映像データはＭＰＥＧ−２等の所定の符号化方式で圧縮されており、１または複数のファイルとして所定のディレクトリに格納されている。また、再生制御情報も記録する制御情報等に応じて１または複数のファイルとして所定のディレクトリに格納されている。
【００２８】
メディア記録再生装置１０にデジタルビデオカメラ２０がＵＳＢケーブル４０によって接続されると、ＵＳＢのプロトコルにしたがって通信を開始する。メディア記録再生装置１０の記録フォーマット判別部１８０は、デジタルビデオカメラ２０に装填されているＤＶＤディスク３０のディレクトリ／ファイル構造を取得することでＤＶＤディスク３０に記録されている映像情報の記録フォーマットの判別を行なう（Ｓ１０１）。ここで、記録フォーマットの判別は、ＤＶＤディスク３０のディレクトリ／ファイル構造を調べたり、所定のファイルの有無、名称、内容等を調べることで行なう。
【００２９】
本実施形態では、ＤＶＤディスク３０の映像情報はＤＶＤ−ＶＲ規格の記録フォーマットで記録されているものとしているので、ＤＶＤ−ＶＲ規格の記録フォーマットの概要について説明する。図４は、ＤＶＤ−ＶＲ規格に基づくＤＶＤディスクのディレクトリ／ファイル構造を示す図である。本図に示すように、ＤＶＤ−ＶＲ規格は、ルートディレクトリに「ＤＶＤ＿ＲＴＡＶ」ディレクトリが作成され、「ＤＶＤ＿ＲＴＡＶ」ディレクトリ内には、少なくとも２つのファイルが配置されることになっている。そのうちの１つの「ＶＲ＿ＭＯＶＩＥ．ＶＲＯ」は、デジタルビデオカメラ２０によって撮影された音声／映像をＭＰＥＧ方式に従って符号化した映像データを格納しているファイルである。もう１つの「ＶＲ＿ＭＡＮＧＥＲ．ＩＦＯ」は、「ＶＲ＿ＭＯＶＩＥ．ＶＲＯ」の内容を再生するための再生制御情報を含むファイルであり、ナビゲーション情報ファイルとも呼ばれる。
【００３０】
したがって、記録フォーマット判別部１８０は、ＤＶＤディスク３０のルートディレクトリに「ＤＶＤ＿ＲＴＡＶ」ディレクトリが作成され、「ＶＲ＿ＭＯＶＩＥ．ＶＲＯ」ファイルと「ＶＲ＿ＭＡＮＧＥＲ．ＩＦＯ」ファイルとが配置されていることを検出することで、ＤＶＤディスク３０に記録された映像情報の記録フォーマットがＤＶＤ−ＶＲ規格であると判別することができる。記録フォーマット判別部１８０は、同様に、ＡＶＣＨＤ規格、ＳＤ−ＶＩＤＥＯ規格等に固有のディレクトリ／ファイル構造を検出することで、それぞれの記録フォーマットを判別することができる。
【００３１】
ＤＶＤ−ＶＲ規格における個別再生制御情報である「ＶＲ＿ＭＡＮＧＥＲ．ＩＦＯ」は、ＤＶＤ−ＶＲ規格で定められた記録フォーマットにしたがって記述されている。「ＶＲ＿ＭＡＮＧＥＲ．ＩＦＯ」に記述される内容は多岐にわたるが、代表的には「メディア全体情報」「ストリーム情報」「プレイリスト情報」「タイムマップ情報」「代表画像情報」が含まれる。
【００３２】
「メディア全体情報」は、記録メディア内に記録されている映像データと関連する各種情報全体とを管理する情報である。
【００３３】
「ストリーム情報」は、映像の符号化方式、解像度、フレームレート、音声の符号化方式、チャンネル数、標本化周波数等の映像データの復号に際して用いられる情報である。
【００３４】
「プレイリスト情報」は、映像データを分割したシーン（チャプタ）を任意の順番で再生するための情報である。シーンはスタート時間とエンド時間とを保持するセル情報として表現され、プレイリスト情報は１つ以上のセル情報を連ねて構成されている。なお、様々なシーンの組み合わせ再生を可能とするために、複数のプレイリスト情報が記録可能となっている。
【００３５】
「タイムマップ情報」は、映像の経過時間と、これに対応する映像データの記録位置を表形式で記録した情報である。一般に、ＭＰＥＧ準拠の映像符号化においては、映像データの複雑さにしたがって動的に符号量を割り当てる方式が採用されている。この場合、映像データの経過時間と符号量は線形な関係にない。したがってセル情報のスタート時間を与えられても対応する映像データの記録位置を決定し、再生のためのアクセスを高速に実施することは困難である。この問題を解消するために、タイムマップ情報が記録される。タイムマップ情報を参照することで、セル情報のスタート時間、あるいはエンド時間から、正確な映像データの位置へ高速にアクセスすることが可能となる。
【００３６】
「代表画像情報」は、映像データあるいはシーン等をユーザが識別しやすいように、映像データあるいはシーン等を代表する画像、いわゆるサムネイル画像を表示するための情報である。代表画像情報は映像データの特定の時間情報を記録しており、メディア記録再生装置１０の画像処理部１６０は代表画像情報を参照することで、映像データから静止画を生成する。この静止画は代表画像として、映像情報選択、プレイリスト選択、シーン選択等のメニュー画面で利用することができる。
【００３７】
図３に示したフローチャートの説明に戻って、記録フォーマット判別部１８０がＤＶＤディスク３０に記録されている映像情報の記録フォーマットを判別した結果、判別できなかったり、対応可能な記録フォーマットでなかった場合（Ｓ１０２：Ｎｏ）は、以下の処理は行なわない。一方、対応可能な記録フォーマットであった場合（Ｓ１０２：Ｙｅｓ）は、以下の映像情報のコピー処理を行なう。なお、映像情報のコピー処理は、例えば、ユーザからの開始指示を受け付けてから開始するようにする。
【００３８】
映像情報のコピー処理では、制御部１２０が、ディスク管理部１４０に対して、ＨＤＤ１４５にＤＶＤディスク３０と同一のディレクトリ構成を構築するように指示し、ディスク管理部１４０がＨＤＤ１４５にＤＶＤディスク３０と同一のディレクトリを作成する（Ｓ１０３）。
【００３９】
続いて、制御部１２０が、ディスク管理部１４０に対して、ＤＶＤディスク３０に格納されているファイルをＨＤＤ１４５にコピーするように指示し、ディスク管理部１４０が実行する（Ｓ１０４）。この結果、ＨＤＤ１４５には、ＤＶＤディスク３０の内容がコピーされ、ＤＶＤディスク３０と同一のディレクトリ／ファイル構造となる。
【００４０】
そして、制御部１２０は、共通再生制御情報処理部１９０に対して、ＨＤＤ１４５にコピーした映像情報に共通再生制御情報を付加するように指示し、共通再生制御情報処理部１９０が共通再生制御情報付加処理を行なう（Ｓ１０５）。
【００４１】
図５は、共通再生制御情報処理部１９０が行なう共通再生制御情報付加処理について説明するフローチャートである。共通再生制御情報処理部１９０は、記録フォーマット判別部１８０が判別した記録フォーマットに従って、ＨＤＤ１４５から個別再生制御情報を取得する（Ｓ２０１）。本実施形態のように、判別された記録フォーマットがＤＶＤ−ＶＲ規格であれば、「ＤＶＤ＿ＲＴＡＶ」ディレクトリの「ＶＲ＿ＭＡＮＧＥＲ．ＩＦＯ」ファイルを参照すればよい。
【００４２】
そして、共通再生制御情報生成部１９０は、取得した個別再生制御情報の解析を行なう（Ｓ２０２）。一般に、個別再生制御情報の内容は、記録フォーマット毎に独自に定められたシンタックスに則って記述されたバイナリデータである。共通再生制御情報処理部１９０は、あらかじめ、これらのシンタックスを解釈できるようにしておく。
【００４３】
図６は、共通再生制御情報処理部１９０の解析結果概要の一例を示す図である。本図に示すように、解析結果には、ストリーム情報６０１、タイムマップ情報６０２、プレイリスト情報６０３が含まれている。なお、タイムマップ情報６０２は、ストリーム情報６０１に含まれている。
【００４４】
プレイリスト情報６０３は、撮影されたすべての映像の再生を管理する実プレイリストと、ユーザが好みのシーンだけを選んで再生させるべく追加で作成したユーザプレイリストに区分される。各プレイリストは１以上のセル情報を含み、それぞれがシーンに対応している。各セル情報はエントリーポイント（ＥＰ）の情報を含み、時間と名前を結びつけ、名前からエントリーポイントを選択し、頭出し再生が可能となっている。代表画像のポイント、ストリーム期間、セル期間、エントリーポイントはすべてＭＰＥＧ規格等で定められたＰＴＳ（プレゼンテーションタイムスタンプ）等により、例えば、９０ｋＨｚのクロック値で記述されている。
【００４５】
また、解析結果先頭部分のディスク情報とプレイリスト情報６０３には、代表画像情報６０４ａ、６０４ｂ、６０４ｃが含まれる。これは、元の個別再生制御情報に代表画像情報が含まれているためである。
【００４６】
このように元の個別再生制御情報に代表画像情報が含まれている場合には（Ｓ２０３：Ｙｅｓ）、共通再生制御情報処理部１９０は、代表画像に対応した処理を行なう（Ｓ２０４）。ここで、代表画像に対応した処理について説明する。上述のように代表画像は、映像情報、各プレイリスト、シーン（チャプタ）等に含まれる映像の特定の点を、ユーザが識別しやすくするためにサムネイル形式で表示する、比較的低解像度の静止画である。
【００４７】
映像情報の記録フォーマットによっては、代表画像情報として時間情報のみを保持し、画像情報を持たないものがある。このような記録フォーマットでは、メニュー画面における代表画像の表示に際して、時間情報に基づいて映像データを検索し、対応する静止画を生成するようにしてもよい。静止画の生成には、映像データのデコード、必要に応じた解像度変更等が必要となるため、再生用のメニュー画面に多数の代表画像を表示する場合、表示完了までに時間がかかる。
【００４８】
そこで、本実施形態のメディア記録再生装置１０では、個別再生制御情報に代表画像情報が含まれている場合には、その個別再生制御情報に基づいて共通再生制御情報を生成する過程で、規定の解像度の代表画像を作成し、ＨＤＤ１４５に格納するとともに、共通再生制御情報にリンク情報を含めるようにする。これにより、再生用のメニュー表示のたびに代表画像を生成する必要が無くなり、表示完了までの時間を早めることができる。
【００４９】
具体的には、再生制御情報に代表画像情報が含まれている場合には、そのエントリーポイントと時間情報を用いて、対応する映像データをＨＤＤ１４５から検索する。そして、再生処理部１５０が検索された映像データをデコードして数フレーム分の画像データを生成する。次いで、画像処理部１６０が、時間情報に対応する画像データを選択し、規定の解像度に変換するとともに、ＪＰＥＧ等の所定の静止画圧縮方式に従って処理を行なうことで代表画像が生成される。
【００５０】
１つのプレイリストに複数の代表画像情報が含まれている場合には、上記の処理を繰り返す。本実施形態においては、画像処理部１６０は、生成された代表画像に番号付けを行ない、代表画像が連続した１つの代表画像ファイルにまとめて管理するものとする。代表画像ファイルは、後述するように、所定のファイル名を付してＨＤＤ１４５の所定のディレクトリに記録する。
【００５１】
共通再生制御情報処理部１９０は、個別再生制御情報の解析を終了すると、解析結果に基づいて共通再生制御情報を生成する（Ｓ２０５）。本実施形態では、共通再生制御情報は、汎用性を持たせるため汎用フォーマットである例えばＸＭＬフォーマットのテキストファイルで作成する。もちろん、汎用フォーマットであれば、ＸＭＬフォーマットに限定されるものではない。この際に、あらかじめ定めたＸＭＬフォーマットのシンタックス等にしたがって、解析結果の情報要素を、意味合いを失わせること無く変換できるようにする。このため、対応する記録フォーマットで示される情報の最大公約数的な情報を表現できるようなシンタックスを定めるようにすることができる。あるいは、対応する記録フォーマットで示される情報を網羅するようなシンタックスを定めるようにしてもよい。
【００５２】
共通再生制御情報で用いるシンタックスでは、例えば、各記録フォーマットで個別に定義されている呼称を統一した呼称に対応付けたり、各記録フォーマットで定義されているパラメータのうち、同一の意味を有するものを共通化したり、ある記録フォーマット固有のパラメータに対応するパラメータを定義したりすることができる。また、映像データへの参照を容易にするため、解析結果中の時間を表す情報はビデオフレーム数に統一して表現することが望ましい。
【００５３】
本実施形態では、ＸＭＬフォーマットのテキストファイルで共通再生制御情報を作成するようにしているため、意味付けされたタグの中に値を記すことができ、直感的に理解しやすいという利点がある。また、タグを定義することにより各記録フォーマットの種々の項目に容易に対応できるという利点もある。
【００５４】
ここで、一例として、本実施形態の共通再生制御情報で用いるプレイリストに関するシンタックスについて説明する。本実施形態では、プレイリストを実プレイリストとユーザプレイリストの２種類に分類する。実プレイリストはコンテンツ記録時に映像データファイルと同時作成されるプレイリストで、コンテンツに密接したプレイリストである。ユーザプレイリストはユーザの編集操作によって作成されるプレイリストである。
【００５５】
本実施形態で一例として挙げているＤＶＤ−ＶＲ規格に限らず、呼称は異なるものの、他の規格でも２種類のプレイリストと同義の構造が定義されている。このため、各規格で対応するプレイリスト定義を以下に説明するプレイリストとユーザプレイリストの定義に対応させるものとする。
【００５６】
次に、各規格のプレイリスト内で定義されているシンタックス表現をＸＭＬフォーマットにて表現される共通再生制御情報の要素として定義する。例えば、プレイリストの名前等は規格毎に表記が異なっても、同じ意味を表すシンタックス表現が備えられている。そこで、プレイリストの名前に相当するシンタックス表現をｐｌａｙＬｉｓｔＮａｍｅ要素として統合して記述するものとする。
【００５７】
こうしてＸＭＬフォーマットで表現された要素に対する記述規則は、ＸＭＬ記述では一般的なＤＴＤ（Ｄｏｃｕｍｅｎｔ  Ｔｙｐｅ  Ｄｅｆｉｎｉｔｉｏｎ）やＸＭＬ  Ｓｃｈｅｍａで定義するものとする。例えば、上記のｐｌａｙＬｉｓｔＮａｍｅ要素に対して文字列とし、最大２５５文字までとする等の条件を定義してもよい。
【００５８】
図７は、生成された実プレイリスト情報に関連する共通再生制御情報の一例を示す図である。本例では、プレイリストのセル情報は、ｐｌａｙＩｔｅｍ要素７０１として記述され、代表画像情報７０２ａ、７０２ｂおよびエントリーポイント情報７０２ｃ、７０２ｄは、ｐｌａｙＬｉｓｔｍａｒｋ要素７０２へ統合され記述されている。
【００５９】
本実施形態では映像情報全体に関連する共通再生制御情報は、記録フォーマットに依存しない汎用フォーマットの例えばＸＭＬフォーマットで記述された「ｇｅｎｅｒａｌ．ｘｆｕｎ」ファイルとして記録し、実プレイリストに関連する共通再生制御情報も記録フォーマットに依存しない汎用フォーマットの例えばＸＭＬフォーマットで記述された「ｒ００００１．ｘｆｕｎ」ファイルとして記録し、ユーザプレイリストに関連する共通再生制御情報はＸＭＬフォーマットで記述された「ｖ００００２．ｘｆｕｎ」ファイルとして記録するものとする。「ｇｅｎｅｒａｌ．ｘｆｕｎ」ファイルに記録される情報は、「メディア全体情報」に対応する。
【００６０】
また、実プレイリストに関連する代表画像ファイルは「ｒ００００１．ｔｈｂｆ」として記録し、ユーザプレイリストに関連する代表画像ファイルは「ｒ００００２．ｔｈｂｆ」として記録するものとする。これらの代表画像ファイルの個別の代表画像への参照情報は、代表画像情報７０２ａ、７０２ｂとして、ｔｈｕｍｂｎａｉｌＩｎｄｅｘ要素における番号で示される。
【００６１】
図７に示すように、ｐｌａｙＬｉｓｔＭａｒｋ要素７０２は、複数のｍａｒｋ要素を含み、ｍａｒｋ要素はｔｙｐｅ要素、ｒｅｆＴｏＰｌａｙＩｔｅｍ要素、ｍａｒｋＴｉｍｅ要素、ｔｈｕｍｂｎａｉｌＩｎｄｅｘ要素を含んでいる。
【００６２】
ｔｙｐｅ要素は、そのｍａｒｋ要素がプレイリストの代表画像を表わすものであるか、ＤＶＤ−ＶＲ規格のエントリーポイント（ＥＰ）等で表わされるような、チャプタ情報かであるか等の種別情報である。このような種別情報を持たせることによって、ｐｌａｙＬｉｓｔＭａｒｋ要素７０２内で代表画像情報を統一的に管理できるようになる。
【００６３】
ｒｅｆＴｏＰｌａｙＩｔｅｍ要素、ｍａｒｋＴｉｍｅ要素は代表画像作成の基となった、プレイリスト内でのポイントを示す。ｔｈｕｍｂｎａｉｌＩｎｄｅｘ要素は上述のように、代表画像ファイル中の個別の代表画像への参照情報である。代表画像は、共通再生制御情報を生成する際に生成されているため、表示の際に映像データを検索する必要がなく、表示されるまでの時間を短縮することができる。
【００６４】
以上に示した手順にしたがって共通再生制御情報処理部１９０が個別再生制御情報に基づいて共通再生制御情報を生成すると、制御部１２０は、共通再生制御情報をＨＤＤ１４５に格納して、映像情報のコピー処理を終了する（Ｓ２０６）。共通再生制御情報は、処理（Ｓ１０３）で作成したディレクトリに、新たに共通再生制御情報用の「ＵＮＡＶ」ディレクトリを作成し、格納するものとする。
【００６５】
本実施形態のように元の映像情報の記録フォーマットが、ＤＶＤ−ＶＲ記録フォーマットの場合には、「ＤＶＤ＿ＲＴＡＶ」ディレクトリの下に「ＵＮＡＶ」ディレクトリを作成し、生成した共通再生制御情報、すなわち、「ｇｅｎｅｒａｌ．ｘｆｕｎ」ファイル、「ｒ００００１．ｘｆｕｎ」ファイル、「ｖ００００２．ｘｆｕｎ」ファイル、「ｒ００００１．ｔｈｂｆ」ファイル、「ｒ００００２．ｔｈｂｆ」ファイルを格納して、映像情報のコピー処理を終了する。図８は、映像情報のコピー処理が終了した状態におけるＨＤＤ１４５のディレクトリ／ファイル構造を示している。
【００６６】
このように、本実施形態によれば、コピー元の映像情報に含まれる個別再生制御情報に基づいて共通再生制御情報を作成し、映像データおよび個別再生制御情報からなる映像情報はそのままコピーすると共に、汎用フォーマットの共通再生制御情報もコピーする。このため、本実施形態によれば、共通再生制御情報を付加するだけなので、コピー元の映像情報に変化を加えることなく、そのままの形でコピーすることが可能となる。
【００６７】
次に、メディア記録再生装置１０における、ＨＤＤ１４５に格納された映像情報の再生について図９のフローチャートを参照して説明する。メディア記録再生装置１０は、ＨＤＤ１４５を参照して、映像情報のディレクトリに「ＵＮＡＶ」ディレクトリが生成されている場合（Ｓ３０１：Ｙｅｓ）には、以下に説明するような共通再生制御情報を用いた映像情報の再生処理を行なう。ここで、メディア記録再生装置１０とデジタルビデオカメラ２０との記録フォーマットが同じで、映像情報に含まれる個別再生制御情報に従って映像データを再生できる場合でも、あるいはメディア記録再生装置１０とデジタルビデオカメラ２０との記録フォーマットが異なる場合でも、「ＵＮＡＶ」ディレクトリが生成されていれば、共通再生制御情報を用いた映像情報の再生処理を行なうようにしてよい。このため、共通再生制御情報の生成は、メディア記録再生装置１０とデジタルビデオカメラ２０との記録フォーマットが異なる場合だけ生成しても、記録フォーマットが異なる場合だけでなく、記録フォーマットが同じ場合にも生成するようにしてよい。これに対し、映像情報のディレクトリに「ＵＮＡＶ」ディレクトリが生成されていない場合（Ｓ３０１：Ｎｏ）には、従来の再生処理を行なう（Ｓ３０３）。
【００６８】
共通再生制御情報を用いた映像情報の再生処理では、「ＵＮＡＶ」ディレクトリに格納されている共通再生制御情報であるプレイリストファイルを読み込む（Ｓ３０２）。本実施形態では、ＸＭＬフォーマットで記述された「ｒ００００１．ｘｆｕｎ」ファイル、「ｖ００００２．ｘｆｕｎ」ファイルがプレイリストファイルに該当する。なお、映像情報の再生処理は、例えば、ユーザからのプレイリスト表示指示を受け付けてから開始するようにする。
【００６９】
続いて制御部１２０は、プレイリストファイルに記録された情報にしたがって、プレイリストを選択するためのメニュー画面を生成し、画像出力部１７０を介してディスプレイ装置６０に表示する（Ｓ３０４）。この際に、プレイリストファイルに代表画像情報が含まれる場合には、代表画像情報に応じた代表画像を含めたメニュー画面を生成する。
【００７０】
具体的には、プレイリストの識別子と、代表画像情報におけるｔｈｕｍｎａｉｌＩｎｄｅｘ要素に含まれる番号とを用いて、ＨＤＤ１４５の「ＵＮＡＶ」ディレクトリに格納されている「ｒ００００１．ｔｈｂｆ」等の代表画像ファイルから対応する代表画像を読み出すことで代表画像を取得する。そして、取得した代表画像をメニュー画面に含めるようにする。
【００７１】
また、メニュー画面中のプレイリスト名は、図７に示したｐｌａｙＬｉｓｔＮａｍｅ要素７０３から取得することができる。プレイリスト名および対応する代表画像を表示するレイアウトはあらかじめ定めておくようにする。
【００７２】
そして、メニュー画面を介して、ユーザからプレイリストの選択を受け付けると（Ｓ３０５）、選択されたプレイリストの再生を実行する（Ｓ３０６）。プレイリストの再生は図７に示したｐｌａｙＬｉｓｔ要素７０４に含まれる、ｐｌａｙＩｔｅｍ要素７０１に記述されたプレイアイテム情報にしたがって実行される。すなわち、ｒｅｆＴｏＦｉｌｅＮａｍｅ要素、ｉｎＴｉｍｅ要素、ｏｕｔＴｉｍｅ要素に含まれる情報を再生処理部１５０に送り出すと、再生処理部１５０は、ＨＤＤ１４５にコピーされた「ＶＲ＿ＭＯＶＩＥ．ＶＲＯ」ファイル等の映像データ内の対応する再生区間を読み出す。そして、順次映像データのデコードを行ない、画像出力部１７０を介してディスプレイ装置６０に出力することで、映像情報の再生が行なわれる。
【００７３】
なお、複数個の映像情報がＨＤＤ１４５にコピーされている場合には、プレイリストを表示する前に、各「ＵＮＡＶ」ディレクトリの「ｇｅｎｅｒａｌ．ｘｆｕｎ」ファイルを参照することで、映像情報を選択するためのメニュー画面を生成して表示するようにしてもよい。このため「ｇｅｎｅｒａｌ．ｘｆｕｎ」ファイルには、映像情報に関する情報、例えば、名称、代表画像等の情報を記録しておくようにする。このように、各映像情報の「ｇｅｎｅｒａｌ．ｘｆｕｎ」ファイルに基づく映像情報選択メニュー画面を表示することで、ユーザにとって映像情報の選択を容易にすることができる。
【００７４】
また、ユーザが、メニュー画面でプレイリストを選択した際に、プレイリストを構成するシーン（チャプタ）の代表画像とシーン名とをメニュー形式で表示するようにしてもよい。この場合、ユーザがメニュー画面から特定のシーンを選択すると、映像データの再生は対応するｍａｒｋ要素で記述されているポイントからの再生を開始するように動作する。ユーザはメニュー形式でシーンの頭出し再生が可能となるために、メディア記録再生装置１０の利便性が向上する。
【００７５】
このように、本実施形態のメディア記録再生装置１０によれば、コピー元の記録フォーマットにかかわらず、共通再生制御情報を用いた再生処理を行なうことができる。したがって、異なる記録フォーマット間であっても統一した操作感で再生処理を行なうことができるようになり、ユーザの利便性が高まることになる。
【００７６】
なお、上記の再生処理は、コピーを行なったメディア記録再生装置１０におけるメディア再生に限られない。例えば、コピーを行なったメディア記録再生装置１０が「ＵＮＡＶ」ディレクトリを含む映像情報を、ＤＶＤディスク等の可搬型の記録メディアにさらにハードコピーし、その記録メディアを、共通再生制御情報を解釈可能な他のメディア再生装置で再生する場合も図９に示した処理と同様の手順によって映像情報を再生することができる。
【００７７】
なお、上記実施の形態の説明では、本発明の映像記録装置および映像再生装置をブロック図によりハードウエア的に構成して説明したが、本発明は、これに限らず、ＣＰＵがプログラムを実行することにより、本発明の映像記録装置および映像再生装置をソフトウエア的に構成するようにしてももちろんよい。
【符号の説明】
【００７８】
１…映像記録再生システム、１０…メディア記録再生装置、２０…デジタルビデオカメラ、３０…ＤＶＤディスク、４０…ＵＳＢケーブル、６０…ディスプレイ装置、１１０…通信部、１２０…制御部、１３０…操作受付部、１４０…ディスク管理部、１４５…ＨＤＤ、１５０…再生処理部、１６０…画像処理部、１７０…画像出力部、１８０…記録フォーマット判別部、１９０…共通再生制御情報処理部、２１０…撮影部、２２０…記録再生部、２３０…通信部
【図１】
2010244592.tif 000003
【図２】
2010244592.tif 000004
【図３】
2010244592.tif 000005
【図４】
2010244592.tif 000006
【図５】
2010244592.tif 000007
【図６】
2010244592.tif 000008
【図７】
2010244592.tif 000009
【図８】
2010244592.tif 000010
【図９】
2010244592.tif 000011